(57)【要約】【課題】大型化やコスト上昇を抑えながら深みのある奥行き感を演出することが可能な指針式表示装置を提供する。【解決手段】円弧状の軌道にて回動する指針４と、指針４の指示対象となる指標部５２２と背景部５１２とを有する表示板５と、表示板５の表示面を背後から照明する光源２と、を備えた指針式表示装置において、背景部５１２は放射方向に向かうに従って光透過率が徐々に高くなるグラデーション印刷層５１４と、表示面の中央から外周に向けて幅が徐々に太くなる複数の線を形成する第１の線状印刷層５１５と、この第１の線状印刷層５１５に交わる同心円弧状の線を形成する第２の線状印刷層５１６とからなる。【選択図】  図１
2010054326.tif 000002
【特許請求の範囲】
【請求項１】
円弧状の軌道にて回動する指針と、
円弧状の外形を有する表示面内に前記指針の指示対象となる指標部とこの指標部の背景となる背景部とが印刷形成されてなる表示板と、
前記表示板の前記表示面を背後から照明する光源と、
を備えた指針式表示装置において、
前記背景部は前記表示面の中央から外周に向けて放射状に広がると共に放射方向に向かうに従って光透過率が徐々に高くなるグラデーション印刷層と、前記表示面の中央から外周に向けて幅が徐々に太くなるように放射状に延びる複数の線を形成する第１の線状印刷層と、この第１の線状印刷層に交わると共に前記表示面の外形に対して同心円弧状の線を形成する第２の線状印刷層とからなることを特徴とする指針式表示装置。
【請求項２】
前記表示板は前記背景部を形成してなる第１の表示板と、透光性基板に前記指標部を形成してなる第２の表示板とからなり、前記第１の表示板の前方に前記第２の表示板を配置してなることを特徴とする請求項１記載の指針式表示装置。
【請求項３】
前記表示面の中央に前記グラデーション印刷層の光透過率をゼロにするか、または前記グラデーション印刷層と重なるように遮光層を印刷形成することにより遮光領域を設け、この遮光領域に貫通孔もしくは透明部からなる透視窓部を設け、この透視窓部にその表示面が臨むように所定情報を表示する表示パネルを配置してなり、前記表示パネルは非発光となるパネル背景中に前記所定情報を発光表示することを特徴とする請求項１記載の指針式表示装置。
【発明の詳細な説明】
【技術分野】
【０００１】
本発明は、例えば車両に適用され、各種計測情報を表示板で回動する指針にて表示する指針式表示装置に関するものである。
【背景技術】
【０００２】
この種の指針式表示装置として例えば下記特許文献１に記載されているものが知られている。この指針式表示装置は、指針と、深部から観察者に向けて徐々に拡径するラッパ形状を有すると共にその外周部に指針の指示対象となる指標部を配置した表示板と、表示板の深部に配置した光源と、表示板の中心部分に配設されると共に光源からの光が観察者の目に直接入るのを防止する隠蔽部とを有し、この遮蔽部と表示板との間に環状の空間が形成され、この環状の空間を通じて光源からの光が外部に漏れ出すこと構成であり、ラッパ形に形成された表示板の立体形状と、空間から漏れ出る光により奥行き感を演出するものである。
【０００３】
また奥行き感を演出する別例として、例えば下記特許文献２に記載されているものが知られている。特許文献２に記載の指針式表示装置は、表示板に光透過率が平面方向に従って変化するグラデーション層を採用したもので、これによれば、フラットな表示板であっても照明光の強弱変化により奥行き感を演出することができる。
【特許文献１】特開２００８−５１７３１号公報
【特許文献２】特開平１１−１１９６６２号公報
【発明の開示】
【発明が解決しようとする課題】
【０００４】
しかしながら、前記特許文献１記載の指針式表示装置は、表示板をラッパ形に成形する必要があるほか、照明構造も複雑にならざるを得ないため、大型化やコスト上昇を避けることができない。一方、前記特許文献２記載の指針式表示装置は、フラットな表示板を用いることができ、照明構造もシンプルでよいので、大型化やコスト上昇を抑える上では有利であるが、グラデーション層だけでは、前記特許文献１記載のような深みのあるラッパ形の奥行き感を演出することは難しい。
【０００５】
本発明は前述した問題点に着目し、大型化やコスト上昇を抑えながら深みのある奥行き感を演出することが可能な指針式表示装置を提供するものである。
【課題を解決するための手段】
【０００６】
本発明は、前述した課題を解決するため、円弧状の軌道にて回動する指針と、円弧状の外形を有する表示面内に前記指針の指示対象となる指標部とこの指標部の背景となる背景部とが印刷形成されてなる表示板と、前記表示板の前記表示面を背後から照明する光源と、を備えた指針式表示装置において、前記背景部は前記表示面の中央から外周に向けて放射状に広がると共に放射方向に向かうに従って光透過率が徐々に高くなるグラデーション印刷層と、前記表示面の中央から外周に向けて幅が徐々に太くなるように放射状に延びる複数の線を形成する第１の線状印刷層と、この第１の線状印刷層に交わると共に前記表示面の外形に対して同心円弧状の線を形成する第２の線状印刷層とからなることを特徴とする。
これによれば、フラットな表示板あるいは浅絞り表示板であってもグラデーション印刷層による明暗の変化と、第１，２の線状印刷層の視覚効果との相乗効果により、深みのある例えばラッパ形の奥行き感、立体感を演出することができる。
【０００７】
また本発明は、前記表示板は前記背景部を形成してなる第１の表示板と、透光性基板に前記指標部を形成してなる第２の表示板とからなり、前記第１の表示板の前方に前記第２の表示板を配置してなることを特徴とする。
これによれば、指標部よりも奥まった位置に背景部が視認されるため、指標部が背景部上に浮遊するかのように見え、奥行き感を強調することができる。
【０００８】
また本発明は、前記表示面の中央に前記グラデーション印刷層の光透過率をゼロにするか、または前記グラデーション印刷層と重なるように遮光層を印刷形成することにより遮光領域を設け、この遮光領域に貫通孔もしくは透明部からなる透視窓部を設け、この透視窓部にその表示面が臨むように所定情報を表示する表示パネルを配置してなり、前記表示パネルは非発光となるパネル背景中に前記所定情報を発光表示することを特徴とする。
これによれば遮光領域に同化したパネル背景中に所定情報が発光表示されるため、所定情報が背景部上に浮遊するかのように見え、奥行き感を強調することができる。
【発明の効果】
【０００９】
本発明によれば、初期の目的を達成することができ、大型化やコスト上昇を抑えながら深みのある奥行き感を演出することができる。
【発明を実施するための最良の形態】
【００１０】
以下、本発明の実施の形態について添付図面を用いて説明する。
【００１１】
図１から図４は、本発明による指針式表示装置の一実施形態を示し、図１は本実施形態による指針式表示装置の正面図、図２は図１のＡ−Ａ断面図であって表示板の要部拡大断面図と透過率の変化特性を併記してなる図、図３はグラデション層単体を示す正面図、図４は線状印刷増単体を示す正面図である。
【００１２】
図１及び図２において、本実施形態による照明装置は、駆動装置１と、光源２と、回路基板３と、駆動装置１に連結されて軸周り回転する指針４と、この指針４の背後に配置される表示板５と、この表示板から透視可能に配置される表示パネル６と、この表示パネル５を照明する導光板７とを備えている。
【００１３】
駆動装置１は、指針軸１１を有する例えばステッピングモータからなるが、ステッピングモータに替えて交差コイル式の駆動装置を適用してもよい。
【００１４】
光源２は、例えば発光ダイオードからなり、指針４と表示板５と表示パネル６とを照明できるように複数配置されている。
【００１５】
回路基板３は、この駆動装置１と光源２の他、図示しない回路素子も実装している。
【００１６】
指針４は、例えば透光性合成樹脂によってコ字状に形成され、指針駆１１に連結されることにより、表示板５の背面から側面を通り、先端が表示板５の前面に位置するように配置され、駆動装置１によって表示板５の前方を円弧状の軌道にて回動する。
【００１７】
表示板５は、第１の表示板５１と第２の表示板５２とに分割形成され、第１の表示板５１の前方に第２の表示板５２を配置しており、これら第１，第２の表示板５１，５２には、表示パネル６に対応した透視窓部５３が形成されている。
【００１８】
第１の表示板５１は、透光性合成樹脂からなる基板５１１の表面に背景部５１２を例えばスクリーン印刷等の手段にて印刷形成してなるものである。
【００１９】
基板５１１は、指針４の回動軌道に対応した円板として形成され、本実施形態の場合、基板５１１の外形及び後述する線状印刷層により円弧状の表示面を形成している。円弧形状以外の基板５１１を採用する場合には、各種印刷層や遮蔽部材等により表示面の外形を規定するようにしてもよい。また基板５１１には、透視窓部５３の一部を構成する貫通孔が形成されている。なお透視窓部５３を透明部とする場合、当該貫通孔は不要である。
【００２０】
背景部５１２は、地色層５１３と、グラデーション印刷層５１４と、第１の線状印刷層５１５と、第２の線状印刷層５１６とで構成されている。
【００２１】
地色層５１３は、例えば青色の透光性インクを用いて基板５１１の前面側であって表示面全域に印刷形成されている。
【００２２】
グラデーション印刷層５１４は、図３にも示すように、例えば黒色の遮光性インクを用いて地色層５１３の前面側に形成されたドット層によって構成され、このドット層は表示面の中央、この場合、指針４の仮想回動中心部から外周に向けて放射状に丸く広がると共に放射方向に向かうに従って表示面における光透過率が徐々に高くなる（図２参照）ようにドット密度が調整されている。従って光源２が点灯すると、中央（領域）が最も暗い黒色で、そこから放射方向（外周）に向かうに従って暗い青色から鮮やかな青色へと次第に色調が変化するグラデーション模様が出現する。またこの場合、グラデーション層５１４によって表示面の中央領域は光透過率がゼロの遮光領域Ｂとなっており、この遮光領域Ｂ内に透視窓部５３が位置するようになっている。
【００２３】
第１の線状印刷層５１５は、グラデーション印刷層５１４と同じ遮光性インクを用いてグラデーション印刷層５１４の形成と同一工程にて印刷形成されており、図４にも示す通り、表示面の中央を基準として外周に向けて放射状に延びる複数の線を形成するもので、これら線の各々は外周に向かうに従って線幅が徐々に太くなると共に各線はそれぞれ指針４の回動方向に沿って等間隔にて配置される。また第１の線状印刷層５１５のうち、後述する指標部の「０」、「４０」、「８０」、「１２０」なる数字に対応する第１の線状印刷層５１５は、湾曲しており、それ以外は直線となっている。また本実施形態の場合、第１の線状印刷層５１５は、目盛としても機能するようになっている。
【００２４】
第２の線状印刷層５１６は、グラデーション印刷層５１４及び第１の線状印刷層５１５と同じ遮光性インクを用いてグラデーション印刷層５１４及び第１の線状印刷層５１５の形成と同一工程にて印刷形成されており、図４にも示すように、第１の線状印刷層５１５に交わると共に表示面の外形に対して同心円弧状の複数の線を形成するものである。
【００２５】
なお基板５１１の背面にはその全面に渡って光源２からの光を拡散させる拡散層５１７が形成されている。
【００２６】
第２の表示板５２は、透光性合成樹脂からなる基板（透光性基板）５２１の表面に指標部５２２を例えばスクリーン印刷等の手段にて印刷形成してなるものである。
【００２７】
基板５２１は、基板５１１と同じ円板として形成され、透視窓部５３の一部を構成する貫通孔が形成されている。なお透視窓部５３を透明部とする場合、当該貫通孔は不要である。
【００２８】
指標部５２２は、例えば白色のインクを用いて形成され、指針４の指示対象となるようにその軌道に応じて円弧状に配列されている。
【００２９】
表示パネル６は、例えば液晶パネルを適用でき、透視窓部５３にその表示面が臨むように、表示板５の背後に配置されている。なお表示パネル６としては液晶パネルのような受光型パネルの他、例えば有機ＥＬパネルにような自発光型パネルを用いることもできる。  
【００３０】
この表示パネル６は、非発光（不透過）となるパネル背景中に所定情報を発光（透過）表示する形式のパネルが採用されている。本実施形態では所定情報の一例として「Ｃｈｅｃｋ  Ｅｎｇｉｎｅ」なる警報情報が例示されているが、所定情報は任意である。
【００３１】
導光板７は、表示パネル６の背面に沿って配置され、光源２からの光を表示パネル６へと導くものである。
【００３２】
このように構成される本実施形態において、全ての光源２が点灯すると、その光は指針４内に導入され、指針４の先端側が所定色で発光する。また光源２の光は背後から表示板５を照らし、図１に示すように、指標部５２２の背後にグラデーション印刷層５１４によるグラデーション模様と、第１，第２の線状印刷層５１５，５１６による線状模様が視認される。この際、グラデーション模様と線状模様とは互いに重なり合い、グラデーション模様による中央から外周にかけて明るくなる明暗の変化と、線状模様による視覚効果（疑似立体視効果）との相乗作用によって、中央が底部で深く、外周部が観察者に向けて徐々に経大となるラッパ形の背景部５１２を表現することができる。また光源２の光は、導光板７を通じて表示パネル６を照らし、これにより表示板５の中央に情報表示が行われる。この際、表示パネル６は、非発光となるパネル背景中に所定情報を発光表示する表示面が遮光領域Ｂの透視窓部５３に臨むため、遮光領域Ｂとパネル背景とが同化して視認される。
【００３３】
以上のように、本実施形態では、円弧状の軌道にて回動する指針４と、円弧状の外形を有する表示面内に指針４の指示対象となる指標部５２２とこの指標部５２２の背景となる背景部５１２とが印刷形成されてなる表示板５と、表示板５の表示面を背後から照明する光源２と、を備えた指針式表示装置において、背景部５１２は表示面の中央から外周に向けて放射状に広がると共に放射方向に向かうに従って光透過率が徐々に高くなるグラデーション印刷層５１４と、表示面の中央から外周に向けて幅が徐々に太くなるように放射状に延びる複数の線を形成する第１の線状印刷層５１５と、この第１の線状印刷層５１５に交わると共に表示面の外形に対して同心円弧状の線を形成する第２の線状印刷層５１６とからなることにより、フラットな表示板あるいは浅絞り表示板であってもグラデーション印刷層５１４による明暗の変化と、第１，２の線状印刷層５１５，５１６の視覚効果との相乗効果により、深みのある例えばラッパ形の奥行き感、立体感を演出することができる。
【００３４】
また本実施形態では、表示板５が背景部５１２を形成してなる第１の表示板５１と、透光性基板５２１に指標部５２２を形成してなる第２の表示板５２とからなり、第１の表示板５１の前方に第２の表示板５２を配置してなることにより、指標部５２２よりも奥まった位置に背景部５１２が視認されるため、指標部５２２が背景部５１２上に浮遊するかのように見え、奥行き感を強調することができる。
【００３５】
また本実施形態では、表示面の中央にグラデーション印刷層５１２の光透過率をゼロにすることにより遮光領域Ｂを設け、この遮光領域Ｂに貫通孔もしくは透明部からなる透視窓部５３を設け、この透視窓部５３にその表示面が臨むように所定情報を表示する表示パネル６を配置してなり、表示パネル６は非発光となるパネル背景中に所定情報を発光表示することにより、遮光領域Ｂに同化したパネル背景中に所定情報が発光表示されるため、所定情報が背景部５１２上に浮遊するかのように見え、奥行き感を強調することができる。
なお遮光領域Ｂは、グラデーション印刷層５１４ではなく、別の遮光層をグラデーション印刷層５１４と重なるように印刷形成することにより設けることもできる。
【００３６】
なお本実施形態では、グラデーション印刷層５１４をスクリーン印刷により設けたが、デジタル印刷やオフセット印刷等の高精細印刷にて設けてもよい。このような高精細印刷を用いることで、グラデーション印刷層５１２の階調表現の自由度を向上させ、奥行き感の演出効果を高めることができる。
また本実施形態では、図２に示すように背景部５１２の全領域において、表示面の中央から外周に向かう放射方向に従って、最も中央側の光透過率が低く（光透過率ゼロ）、最も外側の光透過率が高く（１００％）なるように徐々に変化するようにグラデーション印刷層５１２設定したが、このように放射方向に向けて光透過率を高くする設定は、背景部５１２の中央端部から外周端部に至る全領域ではなく、一部の領域に適用してもよい。例えば背景部５１２の中央端部から外周端部までは至らない所定の途中部位までの一部領域は、放射方向に向けて光透過率を徐々に高く設定し、前記途中部位から外周端部に至る他の一部領域は、全体的に前記途中部位よりも光透過率を低く設定するか、あるいは外周端部に向けて光透過率を徐々に低下させてもよい。
【図面の簡単な説明】
【００３７】
【図１】本発明の一実施形態による指針式表示装置の正面図。
【図２】図１のＡ−Ａ断面図であって表示板の要部拡大断面図と透過率の変化特性を併記してなる図。
【図３】同実施形態によるグラデション層単体を示す正面図。
【図４】同実施形態による線状印刷増単体を示す正面図。
【符号の説明】
【００３８】
１  駆動装置
２  光源
３  回路基板
４  指針
５  表示板
６  表示パネル
７  導光板
１１  指針軸
５１  第１の表示板
５２  第２の表示板
５３  透視窓部
５１１  基板
５１２  背景部
５１３  地色層
５１４  グラデーション印刷層
５１５  第１の線状印刷層
５１６  第２の線状印刷層
５１７  拡散層
５２１  基板（透光性基板）
５２２  指標部
Ｂ  遮光領域
【図１】
2010054326.tif 000003
【図２】
2010054326.tif 000004
【図３】
2010054326.tif 000005
【図４】
2010054326.tif 000006